(57)【要約】      （修正有）【課題】何時でも何処にでも持ち運んで安置することができ、容易に入手可能な仏壇を提供する。【解決手段】下部箱１１内に礼拝用の仏具４０等を載置する載置板１９を設け、下部箱１１内に少なくとも仏陀の尊影とともに遺族の遺影を表した表示板３０を出し入れ可能に支持させ、下部箱１１内の載置板１９下部に抽斗を設置して、下部箱１１の上面に上部箱１２を載置するようにこれらを開いた場合に、上部箱１２の天板内面に形成された表示板係止溝に、表示板支持部２９から取り出した表示板３０の下縁を、この表示板３０が傾斜するように保持可能にした構成である。【選択図】図１
0003145201.tif 000002
【実用新案登録請求の範囲】
【請求項１】
側方から見て台形の下部箱および三角形の上部箱がヒンジ部材によって開閉自在に連結され、これらの下部箱および上部箱の各開放部を閉じるように互いに重なると直方形または立方形の箱体となる仏壇であって、
前記下部箱内の下部に設けられた礼拝用の仏具等を載置する載置板と、
前記下部箱内の上部に設けられて、少なくとも仏陀の尊影とともに遺族の遺影並びに位牌などを表す表示板を出し入れ可能に支持する表示板支持部と、
前記下部箱内であって、前記載置板の下部に設置された抽斗とを備え、
前記下部箱の上に上部箱を載置するように下部箱および上部箱の前記各開放部を開いた場合に、前記表示板支持部から取り出した表示板の下縁を、該表示板が傾斜する状態になるように、上部箱の天板内面に形成された表示板係止溝に保持可能にしたことを特徴とする仏壇。
【考案の詳細な説明】
【技術分野】
【０００１】
本考案は、崇拝対象である仏陀の尊影および遺族の遺影並びに位牌などを安置する仏壇に関する。
【背景技術】
【０００２】
仏壇は、箱型の本体前面に外部方向に開く両開きの外部扉が設けられ、この外部扉の内側に内部扉が設けられている。この内部扉には、閉じられた状態で一つの絵柄になるように各扉構成部分に絵柄や透かし彫り等の装飾が施されている。そして、この内部扉内側の壇上には仏像や仏具等が安置されている（例えば、特許文献１参照）。
【０００３】
これらのうち壇上等に安置される前記仏像は、守護仏、脇侍など主だった諸尊像であり、このためこれらの仏像を安置する仏壇のサイズは大きく、豪華なものになっており、仏像を荘厳する装飾も華美なものになっている。また、仏壇は構造が複雑で大型であるため、この仏壇に使われる材料が黒檀、桜などの重量の木製であることと合わせて、容易に持ち運びすることができず高価にもなる。さらに、信徒は仏壇が据え置かれた仏間など出向いて礼拝する必要があった。
【考案の開示】
【考案が解決しようとする課題】
【０００４】
しかしながら、従来の仏壇は、サイズや重量が大きいため容易に持ち運びすることができず好ましくない。また、仏壇は比較的にサイズが大きく、装飾や彫刻が大掛かりであるため前述のように高価である。さらに、一般の信徒が個人的に所有するには経済的負担が大きいという不都合がある。
【０００５】
本考案は前記のような従来の不都合に着目してなされたものであり、その目的とするところは、信徒の誰でもが、必要に応じて何時でも何処でも礼拝することができるとともに、容易に持ち運んだり、個人的に所有したりすることができる仏壇を提供することを目的とする。
【課題を解決するための手段】
【０００６】
前記目的達成のために、本考案に係る仏壇は、側方から見て台形の下部箱および三角形の上部箱がヒンジ部材によって開閉自在に連結され、これらの下部箱および上部箱の各開放部を閉じるように互いに重ると直方形または立方形の箱体となる仏壇であって、前記下部箱内の下部に設けられた礼拝用の仏具等を載置する載置板と、前記下部箱内の上部に設けられて、少なくとも仏陀の尊影とともに遺族の遺影を表す表示板を出し入れ可能に支持する表示板支持部と、前記下部箱内であって、前記載置板の下部に設置された抽斗とを備え、前記下部箱の上に上部箱を載置するように下部箱および上部箱の前記各開放部を開いた場合に、前記表示板支持部から取り出した表示板の下縁を、該表示板が傾斜する状態になるように、上部箱の天板内面に形成された表示板係止溝に保持可能にしたことを特徴とする。
【０００７】
この構成により、台形の下部箱および三角形の上部箱を重ねるように閉じた場合には、これを手で抱えて持ち運んで所定位置に安置することができる。また、礼拝時には下部箱に対し上部箱を回動するように開くことで、各箱の内部を前方に向かって開放させることができる。この開放により下部箱内の支持板上には仏具が現れるため、仏花を立てたりすることが可能になる。
【０００８】
また、下部箱内の表示板を取り出し、上部箱の天板裏面の表示板係止溝にその表示板の下端を保持させることで、この表示板を上部箱内に傾斜状態で支持することができ、信徒はこの表示板に表された仏陀の尊影および遺族の遺影に礼拝することができる。この礼拝後は、必要に応じ下部箱および上部箱を重ねるようにして閉じ、コンパクトな携帯の箱体にして持ち運ぶことができる。
【０００９】
また、抽斗内には仏具が収納されているので、この抽斗を手で引き出すことで、仏事にこれらを取り出して使用することができる。
【考案の効果】
【００１０】
本考案によれば、仏壇の本体が台形の下部箱と三角形の上部箱とをヒンジ部材を介して連結した簡素な構成であるため安価であり、必要に応じて何時でも何処にでも持ち運んで安置することができ、信徒はその安置した場所にて仏壇を開いて任意に礼拝することができるとともに、信徒の誰でもが容易に入手することができる。
【考案を実施するための最良の形態】
【００１１】
以下に、本考案の実施形態による仏壇を、図面を参照して詳細に説明する。
【００１２】
図１は、本実施の形態による仏壇の使用状態を示す斜視図、図２は、図１に示す仏壇を閉じた状態の斜視図、図３は、図１に示す仏壇を開いた状態の斜視図、図４は、図１に示す仏壇を開いた状態の拡大断面図である。
【００１３】
本実施の形態による仏壇は、これを側方から見て台形の下部箱１１と三角形の上部箱１２とからなる。これらの下部箱１１と上部箱１２を図２に示すように重ね合わせることにより、全体として、例えば縦２１５ミリ、横２６４ミリ、高さ２１５ミリの直方形または立方形の略密閉型の小型の箱体になる。これらのうち、下部箱１１は、矩形の底板１３と、この底板１３の左右に一体に立設された左右対象形状の（台形の）右側板１４および左側板１５と、これらの各側板１４、１５とともに底板１３の後部に一体に立設された背板１６と、右側板１４、左側板１５および背板１６の上端に一体に連設された天板１７とからなり、前部は開放部１８となっている。
【００１４】
これらの各板１３〜１７は、例えば木製、合板あるいは樹脂との混合材（ＭＤＦ）などからなり、各板１３〜１７の表面および裏面には所定色のウレタン塗装や漆塗装が施され、見栄えがよくなっている。
【００１５】
右側板１４および左側板１５間の傾斜縁Ｐおよび垂直縁Ｑとが接する位置に、仏具等の載置板１９が水平に架設されている。この載置板１９と底板１３とは所定距離離れている。従って、この載置板１９、底板１３、両側板１４、１５および背板１６によって囲まれて、前記所定距離離れた空間には、抽斗２０が出し入れ自在に装着されている。
【００１６】
この抽斗２０は、底板２１の四周（前後左右）に前板２２、左右の側板２３および背板２４によって支持した構成となっている。例えば、図４に示すように、底板２１の四辺が各板２２、２３、２４の下部内面に設けられた取付溝２５に嵌め込まれた構成となっている。ここで、前板２２は上面２２ａが載置板１９の上面に面一となり、下面が底板１３の下面に面一となる高さを持つ。
【００１７】
前板２２の横幅は右側板１４および左側板１５の各外側面間の距離に等しい寸法である。前板２２下部の裏面であって底板２１の下方に臨む位置に、底板１３の前縁との間に間隙を作る切欠２６が形成されている。この切欠２６は、ここに指先を掛けることにより、抽斗２０の出し入れ操作を容易にしている。
【００１８】
さらに、底板１３の下面には、この底板１３の面積より小さめの支持台板２７が接着等により取り付けられている。これにより、切欠２６に指先を掛け易くしている。
【００１９】
右側板１４および左側板１５の上部内面であって、等しい高さ位置には、角棒状の支持部材２８、２９が水平に取り付けられている。これらの支持部材２８、２９は表示板３０の左右端部を摺動自在にガイドおよび収納可能にしている。これらの支持部材２８、２９の先端部は前記傾斜縁部Ｐの内側に位置している。図３は、表示板３０が支持部材２８、２９によって支持されている状態を示す。
【００２０】
表示板３０は、写真を表示する四つの表示領域ａ、ｂ、ｃ、ｄが設けられ、これらのうち表示領域ａは他の表示領域ｂ、ｃ、ｄに比べてサイズが最も広く、下部中央の表示領域ｂはこれの左右にある表示領域ｃ、ｄに比べて広い。そして表示領域ａには崇拝対象であるお釈迦様の涅槃像（尊影写真）が飾られ（祀られ）、表示領域ｂ、ｃ、ｄには菩薩や脇侍といった諸仏のほか、遺族の遺影などが飾られている。
【００２１】
写真が飾られる表示板３０としては、例えば額縁のようにアクリル樹脂板などの透明板と裏板との間に写真を介在したものなどが用いられる。なお、図１は、表示板３０が三角形の上部箱１２内に設置された状況を示す。
【００２２】
一方、上部箱１２は下部箱１１と同質の素材からなり、下部箱１１と同様の塗装が施されている。この上部箱１２は側方から見て三角形状をなし、矩形の天板３１と、この天板３１の両端に垂下するように設けられた三角形の右側板３２および左側板３３と、矩形の前板３４とが一体になっている。従って、この上部箱１２は底板がなく、後部が開放部３５となっている。
【００２３】
そして、上部箱１２の天板１２と下部箱１１の天板１７との接触部には、これらの相対回動を可能にする一対のヒンジ部材３６が、ねじ（図示しない）等により周知の形態で固定されている。また、正面板３４の下端面（図４では、上端面）３４ａは水平面となっている。天板３１の内周面であって、開放部３５に近い部分には、左右方向に一本の表示板係止溝３７が形成されている。
【００２４】
また、この表示板係止溝３７は凹溝のほか半円溝とすることもできる。なお、下部箱１１に対し上部箱１２を図１および図３に示すように開放した状態においては、上部箱１１の両側板３２、３３の傾斜縁Ｒと下部箱１２の両側板１４、１５の傾斜縁Ｐとが、図４に示すように、同一の平面内において略直線をなす。
【００２５】
次に、前記構成の仏壇の使用方法を説明する。
【００２６】
先ず、信徒等が少なくとも仏陀の尊影を含む遺族の遺影に礼拝する場合には、図１に示すような、下部箱１１上に上部箱１２を重ねた直方形状の仏壇を両手で抱えて、礼拝する部屋の所定位置に持ち運んで安置する。この持ち運び時には、信徒は両手の指先を支持台板２７周辺の底板１３下面に掛けて仏壇全体を持ち上げればよい。
【００２７】
続いて、仏壇を安置したその位置で前記三角形の上部箱１２を下部箱１１との間のヒンジ部材３６を介して、図４において、矢印Ａ方向に回動操作する。この回動操作によって、上部箱１２の天板３１がヒンジ部材３６を中心に反転して、下部箱１１の天板１７上に重なる。このため、下部箱１１の開放部１８および上部箱１２の開放部３５がともに前方に向かって開放される。この状態は、図１、図３および図４に示す通りとなる。
【００２８】
そして、下部箱１１の開放によって、載置板１９およびこの載置板１９上の各種の仏具４０等が前方から看取可能になり、例えば花立てに花を挿したりすることができる。この場合に、抽斗２０を載置板１９および底板１３間の空間内で出し入れすることで、抽斗２０内からすることができる。なお  この抽斗２０の引き出しは前板２２下部の切欠２６に指先を掛けることにより、スムースに行える。
【００２９】
次に、下部箱１１内の支持部材２８、２９に両端部が支持されている表示板３０を手で摘んで外へ引き出し、その下端部を上部箱１２の天板３１内面に形成された表示板係止溝３７内に挿し入れる。このとき表示板３０を図４に示すように、前板３４方向へ倒れるように傾斜させる。表示板係止溝３７は表示板３０の下端が自然には抜けないサイズおよび形状となっているため、前板３４に干渉することなしに傾斜状態にて自立することとなる。
【００３０】
この表示板３０の上部箱１２における傾斜角度は前方から前記尊影等の看取が容易な角度である。この表示板３０表面の表示領域ａに表示された仏陀の尊影ととともに、表示領域ｂ〜ｄに表示された菩薩や脇侍の絵像、遺族の遺影などを前方に見ながら手を合わせて、厳粛に礼拝することができる。また、礼拝が終了した場合には、表示板３０を凹溝３７から引き上げて分離し、下部箱１１の前記支持部材２８、２９上に載せて天板１７の下部に収納することができる。
【００３１】
このように、天板１７の下部に表示板３０を図３および図４に示すように収納した後は、上部箱１２をヒンジ部材３６を中心に、前記矢印Ａとは反対方向に回動操作する。すると、上部箱１２の開口端面が下部箱１１の開口端面に接合し（従って、傾斜縁Ｒ、Ｐが重なり）上部箱１２の前板３４の下端面３４ａと抽斗２０の前板２２の上面２２ａとが重なるように密接する。これにより、仏壇は図２に示すように六面が滑らかに連続する直方形態の収納箱となり、運搬や移送などが容易になる。
【００３２】
以上のように、本実施形態の仏壇は、台形の下部箱１１内下部に設けられた礼拝用の仏具４０等を載置する載置板１９と、下部箱１１内上部に設けられて、少なくとも仏陀の尊影とともに遺族の遺影を表す表示板３０を出し入れ可能に支持する表示板支持部２９と、下部箱１１内であって、載置板１９の下部に設置された抽斗２０と、を備え、下部箱１１の上に上部箱１２を載置するように下部箱１１および上部箱1２の各開放部１８、３５を開いた場合に、上部箱１２の天板３１内面に形成された表示板係止溝３７に、表示板支持部２９から取り出した表示板３０の下縁を該表示板３０が傾斜するように保持可能に構成している。
【００３３】
従って、台形の下部箱１１および三角形の上部箱１２を重ねるように閉じた場合には、これを手で抱えて運び所定位置に安置することができる。また、礼拝時には下部箱１１に対し上部箱１２を回動するように開くことで、各箱内１１、１２を前方に向かって開放させることができる。この開放により下部箱１１内の載置板上の仏具４０が現れるため、灯明を点けたり、仏花を立てたりすることができる。
【００３４】
また、下部箱１１内の表示板３０を取り出し、上部箱１２の天板３１裏面の表示板係止溝３７にその表示板３０の下端を保持させることで、この表示板３０を上部箱１２内に傾斜支持させることができる。信徒はこの表示板３０に表された仏陀の尊影および遺族の遺影並びに位牌などに礼拝することができる。この礼拝後は、必要に応じ下部箱１１および上部箱１２を重ねるように閉じて、持ち運ぶことができる。
【産業上の利用可能性】
【００３５】
本考案は、必要に応じて何時でも何処にでも持ち運んで仏壇を安置することができ、信徒はその安置した場所にて仏壇を開いて、表示板に表示された仏陀の尊影等を任意に礼拝することができるとともに、この仏壇を信徒の誰でもが容易に入手することができるという効果を有し、崇拝対象である仏陀の尊影および遺族の遺影並びに位牌などを安置する仏壇等に有用である。
【図面の簡単な説明】
【００３６】
【図１】本考案の実施の形態による仏壇の使用状態を示す斜視図である。
【図２】本考案の実施の形態による仏壇の収納状態を示す斜視図である。
【図３】本考案の実施の形態による仏壇の開放状態を示す斜視図である。
【図４】本考案の実施の形態による仏壇を拡大して示す縦断面図である。
【符号の説明】
【００３７】
１１…下部箱、１２…上部箱、１３…底板、１４…右側板、１５…左側板、  １７…天板、１８…開放部、２０…抽斗、２１…底板、２２…前板、２３…側板、  ２４…背板、２６…切欠、２７…支持台板、２８,２９…支持部材、３０…表示板、  ３１…天板、３２…右側板、３３…左側板、３４…前板、３５…開放部、３６…ヒンジ部材、３７…表示板係止溝
【図１】
0003145201.tif 000003
【図２】
0003145201.tif 000004
【図３】
0003145201.tif 000005
【図４】
0003145201.tif 000006